(57)【要約】【課題】外光の影響によるコントラスト低下を低減することができるプラズマディスプレイパネルを提供すること。【解決手段】プラズマディスプレイパネル１０は、前面板２００および背面板１００と、これらの間の放電空間を区画する隔壁１１０と、放電セル１２０内に形成される蛍光体層１３０と、放電を発生させる電極２１５とを備え、前面板２００は、第１の誘電体層２２１と、第１の誘電体層２２１との間で前面板表面２４０に対して傾斜した面を含む誘電体層内界面２２３を形成する第２の誘電体層２２２とを有し、第１の誘電体層２２１よりも屈折率が大きい第２の誘電体層２２２は、放電セル１２０側に設けられてり、誘電体層内界面２２３は、前面板表面２４０の法線方向に対して垂直上方に所定の角度以上の角度で入射する光を、前面板２００と放電空間との境界面である保護層表面２５０で全反射する方向に屈折させる構成を採る。【選択図】図１
2009146615.tif 000002
【特許請求の範囲】
【請求項１】
互いに離隔して対向配置される前面板および背面板と、
前記前面板と前記背面板との間に形成される放電空間を区画する隔壁と、
前記隔壁により区画された放電セル内に形成される蛍光体層と、
前記前面板および前記背面板にそれぞれ配列され、前記放電セル内で放電を発生させる電極と、
を備えるプラズマディスプレイパネルにおいて、
前記前面板は、
第１の層と、前記第１の層との間で前記前面板の表面に対して傾斜した面を含む界面を形成する第２の層と、を有し、
前記第１の層と前記第２の層のうち屈折率が大きいほうの層は、前記放電セル側に設けられており、
前記界面は、前記前面板の表面の法線方向に対して垂直上方に所定の角度以上の角度で入射する光を、前記前面板と前記放電空間との境界面で全反射する方向に屈折させる、
プラズマディスプレイパネル。
【請求項２】
前記第１の層および前記第２の層は、いずれも誘電体層である、
請求項１記載のプラズマディスプレイパネル。
【請求項３】
前記所定の角度は、６０度以上である、
請求項１記載のプラズマディスプレイパネル。
【請求項４】
前記第１の層および第２の層は、ガラスから成り、
前記傾斜した面の少なくとも一部は、観察者側において、その法線方向が前記前面板の表面の法線方向に対して垂直上方に３３度以上傾いている、
請求項１記載のプラズマディスプレイパネル。
【請求項５】
前記界面は、垂直断面が連続した山型形状を有する、
請求項１記載のプラズマディスプレイパネル。
【発明の詳細な説明】
【技術分野】
【０００１】
本発明は、プラズマディスプレイパネルに関する。
【背景技術】
【０００２】
プラズマディスプレイ（plasma display）やＣＲＴディスプレイ（cathode-ray tube display）などの自発光型ディスプレイは、視野角の依存性が無く自然な映像が得られることから広く使用されている。特にプラズマディスプレイは、薄型であり、かつ大画面を構成するのに最適であることから、急速に普及が進んでいる。
【０００３】
ところが、プラズマディスプレイには、例えば液晶ディスプレイなどの他の表示装置に比べて、映像のコントラストを向上させることが難しいという問題がある。これは、前面板を透過して内部の蛍光体層に到達した外光が、蛍光体層で乱反射するためである。
【０００４】
そこで、透過率の低いフィルタを用いてコントラストの向上を図る技術が、例えば特許文献１に記載されている。特許文献１記載の技術によれば、蛍光体層よりも映像を観察する者が位置する側（以下「観察者側」という）に、透過率の低いフィルタを配置する。外光は、フィルタを透過して蛍光体層に到達し、反射した後、再度フィルタを透過して観察される。すなわち、蛍光体層に到達する外光は、往復で少なくとも２度フィルタを透過する。これにより、観察者側に戻ってくる光（以下「反射光」という）の光量は十分に低減される。一方で、蛍光体層からの映像光は、フィルタを１度だけ通過して観察される。したがって、フィルタによる光量低減の効果を、映像光よりも外光に対してより強く与えることができ、明るい場所でのコントラストを改善することができる。
【特許文献１】特開平８−３２２０２４号公報
【発明の開示】
【発明が解決しようとする課題】
【０００５】
しかしながら、特許文献１記載の技術では、明るい場所におけるコントラスト改善の効果が少ないという問題がある。フィルタの透過率を低く設定することが考えられるが、観察者側に到達する映像光も暗くなり、かえってコントラストの低下を招くおそれがある。
【０００６】
本発明は、かかる点に鑑みてなされたものであり、外光の影響によるコントラスト低下を低減することができるプラズマディスプレイパネルを提供することを目的とする。
【課題を解決するための手段】
【０００７】
本発明のプラズマディスプレイパネルは、互いに離隔して対向配置される前面板および背面板と、前記前面板と前記背面板との間に形成される放電空間を区画する隔壁と、前記隔壁により区画された放電セル内に形成される蛍光体層と、前記前面板および前記背面板にそれぞれ配列され、前記放電セル内で放電を発生させる電極と、を備えるプラズマディスプレイパネルにおいて、前記前面板は、第１の層と、前記第１の層との間で前記前面板の表面に対して傾斜した面を含む界面を形成する第２の層とを有し、前記第１の層と前記第２の層のうち屈折率が大きいほうの層は、前記放電セル側に設けられており、前記界面は、前記前面板の表面の法線方向に対して垂直上方に所定の角度以上の角度で入射する光を、前記前面板と前記放電空間との境界面で全反射する方向に屈折させる構成を採る。
【発明の効果】
【０００８】
本発明によれば、前面板に入射した光を、前面板と放電空間との境界面で全反射する方向に屈折させることが可能となり、蛍光体層に到達する光量を低減することができる。これにより、外光の影響によるコントラスト低下を低減することができる。
【発明を実施するための最良の形態】
【０００９】
以下、本発明の一実施の形態について、図面を参照して詳細に説明する。
【００１０】
図１は、本発明の一実施の形態に係るプラズマディスプレイパネルの概略部分断面図である。図１では、本実施の形態に係るプラズマディスプレイパネルの特徴的な構成を示しており、その他の部分については図示および説明を一部省略する。また、図１は、本実施の形態に係るプラズマディスプレイパネルの垂直断面の一部を示している。
【００１１】
なお、以下、プラズマディスプレイパネルの「水平方向」および「垂直方向」とは、当該プラズマディスプレイパネルを正しく視聴可能な正規の方法で設置した際の水平方向および垂直方法をそれぞれ意味する。
【００１２】
図１に示すように、プラズマディスプレイパネル１０は、互いに離隔して配置された背面板１００および前面板２００を平行に重ねて構成される。背面板１００と前面板２００との間の空間には、プラズマ放電を発生させる放電空間が形成されている。放電空間には、ヘリウム（Ｈｅ）、ネオン（Ｎｅ）、キセノン（Ｘｅ）、アルゴン（Ａｒ）などを混合した所定の放電ガスが封入されている。
【００１３】
背面板１００には、絶縁体層で覆われたデータ電極（図示せず）と、データ電極と平行に配置されたストライプ状の複数の隔壁１１０とが形成されている。上記した放電空間は、隔壁１１０により複数の区画に仕切られており、単位発光領域となる複数の放電セル１２０を形成している。３つの隣り合う放電セル１２０の内壁には、赤色（Ｒ）、緑色（Ｇ）、青色（Ｂ）の各蛍光体が放電セル毎に色分け塗布され、蛍光体層１３０が形成されている。
【００１４】
前面板２００は、高歪点ガラスから成る透明板２１０を基材とし、透明板２１０の背面板１００側に、プラズマディスプレイパネルとしての機能を実現するための各種構成要素がそれぞれ適切な位置に形成された構成となっている。具体的には、前面板２００には、例えば、走査電極と維持電極とで対をなすストライプ状の表示電極２１５が複数形成され、表示電極２１５を覆うように誘電体層２２０が形成され、更に誘電体層２２０上に保護層２３０が形成されている。誘電体層２２０は、例えば、低融点ガラスから成り、保護層２３０は、例えば、酸化マグネシウム（ＭｇＯ）から成る。前面板２００の観察者側の表面（以下「前面板表面」という）２４０と、前面板２００の背面板１００側の表面（以下「保護層表面」という）２５０とは、平行となっている。
【００１５】
誘電体層２２０は、第１の誘電体層２２１および第２の誘電体層２２２を積層して構成される。第１の誘電体層２２１は、観察者側に配置され、第２の誘電体層２２２は、第１の誘電体層２２１に密着して配置されている。
【００１６】
誘電体層２２０は、第１の誘電体層２２１と第２の誘電体層２２２との界面として、誘電体層内界面２２３を有する。ここでは、一例として、第２の誘電体層２２２の素材として、保護層２３０と屈折率がほぼ同一の物質が用いられ、第１の誘電体層２２１の素材として、第２の誘電体層２２２よりも屈折率が０.２程度低い物質が用いられている。
【００１７】
このように構成されたプラズマディスプレイパネル１０において、電極間に電圧が印加されると、放電セル１２０に放電が発生し、例えば、混合ガス中のヘリウム原子が励起されて紫外線を発生する。そして、この紫外線によって蛍光体層１３０が励起され、可視光が発生する。
【００１８】
ここで、誘電体層内界面２２３の構成および作用について説明する。
【００１９】
蛍光体層１３０には、発生した紫外線のほかに、天井の照明光などの外光（以下単に「外光」という）も、前面板２００を透過して蛍光体層１３０に入射する。このような外光の光量が多いと、蛍光体層１３０で乱反射して観察者側で観測される光量が多くなり、映像のコントラストが低下する。
【００２０】
一方で、一般に、光線は、屈折差のある界面が存在した場合、透過する光線と反射する光線とに分離される。また、屈折率差によって決まるある入射角以上の光線は、透過することができず、その全てが反射する。したがって、蛍光体層１３０よりも観察者側に、屈折差のある界面を設けることによって、蛍光体層１３０に到達する外光の光量を低減することが可能である。ところが、平行平面板に入射した光は必ず他方の面より射出し、この性質は屈折率の違う平行平板を重ね合わせても変化しない。
【００２１】
そこで、本実施の形態に係るプラズマディスプレイパネル１０では、誘電体層２２０の誘電体層内界面２２３に、前面板表面２４０に対して傾斜した面（以下「傾斜面」という）を設けている。また、この傾斜面は、所定の方向からの外光に対し、保護層表面２５０への入射角をその保護層表面２５０（第２の誘電体層２２２と放電空間との界面）の臨界角以上にする屈折作用を与えるように構成されている。これにより、少なくとも所定の角度で入射した外光については、保護層表面２５０で観察者側に全反射させ、蛍光体層１３０に到達するのを防ぐことができ、コントラストの向上を図ることができる。
【００２２】
また、誘電体層内界面２２３の傾斜面は、例えば、誘電体層内界面２２３を山型形状とすることによって形成される。すなわち、誘電体層内界面２２３は、垂直断面を多数の山型形状、水平断面を直線とし、水平方向にストライプ状に伸びた１対の傾斜面を、垂直方向に連続的に並べて配置した形状となっている。これにより、同じ角度の傾斜面を、パネル前面に渡って均一に配置し、かつ前面板２００の肉厚方向のスペース内に配置することができる。
【００２３】
また、誘電体層内界面２２３の傾斜面の傾斜角を工夫し、前面板２００に対して大きな入射角で入射する外光だけを全反射させる。
【００２４】
ここで、所定の角度で入射した外光を保護層表面２５０で全反射させるための条件について説明する。
【００２５】
以下、透明板２１０および表示電極２１５は、第１の誘電体層２２１とほぼ同一の屈折率を有するものとして、第１の誘電体層２２１と一体として扱うとともに、これらについての図示および説明を省略する。また、誘電体層内界面２２３の水平断面は直線であることから、光の進路および誘電体層２２０の構成に関して、誘電体層２２０の幅方向の成分を無視するものとする。
【００２６】
図２は、誘電体層２２０の各界面における入射角の関係を示す図である。
【００２７】
図２に示すように、観察者側から到来した外光３００の前面板表面２４０への入射角θinが、前面板表面２４０における臨界角よりも小さいときには、その外光３００は、屈折角θBで第１の誘電体層２２１に入射する。また、第１の誘電体層２２１に入射した外光３００の誘電体層内界面２２３への入射角θB'が、誘電体層内界面２２３における臨界角よりも小さいときには、その外光３００は、屈折角θC'で第２の誘電体層２２２に入射する。更に、第２の誘電体層２２２に入射した外光３００の保護層表面２５０への入射角θCが、保護層表面２５０における臨界角よりも小さいときには、その外光３００は、屈折角θAで蛍光体層１３０側へと出射する。
【００２８】
ここで、放電空間の屈折率および空気の屈折率をｎA、第１の誘電体層２２１の屈折率をｎB、第２の誘電体層２２１の屈折率ｎC、誘電体層内界面２２３の前面板表面２４０および保護層表面２５０に対する傾斜角をθMとする。
【００２９】
外光３００が前面板表面２４０を透過する際の屈折角θBは、以下の式（１）で表わされる。
【数１】
2009146615.tif 000003
【００３０】
外光３００が前面板表面２４０に入射する際の入射角θB'は、屈折角θBおよび傾斜角θMを用いて以下の式（２）で表わされる。
【数２】
2009146615.tif 000004
【００３１】
外光３００が前面板表面２４０を透過する際の屈折角θC'は、以下の式（３）で表わされる。
【００３２】
【数３】
2009146615.tif 000005
【００３３】
外光３００が保護層表面２５０に入射する際の入射角θCは、屈折角θC'および傾斜角θMを用いて以下の式（４）で表わされる。
【数４】
2009146615.tif 000006
【００３４】
また、外光３００が保護層表面２５０を透過して放電空間に進入する際の入射角θAは、以下の式（５）で表わされる。
【数５】
2009146615.tif 000007
【００３５】
以上の式（１）〜（５）より、外光３００が保護層表面２５０を透過する際の入射角θAは、以下の式（６）のように表わすことができる。
【数６】
2009146615.tif 000008
【００３６】
また、外光３００が保護層表面２５０で全反射するには、入射角θAが以下の式（７）を満たせばよい。
【００３７】
【数７】
2009146615.tif 000009
【００３８】
したがって、以上の式（６）、（７）より、誘電体層２２０に進入した外光３００が放電空間との界面（保護層表面２５０）で全反射するための条件は、以下の式（８）で表わすことができる。
【数８】
2009146615.tif 000010
【００３９】
例えば、誘電体層内界面２２３の傾斜角θMを、外光３００の前面板表面２４０への入射角θB'および各層の屈折率との関係で上記式（８）を満たすように決定する。これにより、入射角θB'よりも大きな角度で入射する外光３００を、保護層表面２５０で全反射させ、蛍光体層１３０側に入射させないようにすることができる。
【００４０】
また、空気に対するガラスの相対屈折率は、通常、１.５〜２.０である。また、画像のコントラスト低下に影響を及ぼす天井照明は、通常、ディスプレイ装置から見て水平方向から上方に約６０度以上の範囲に位置している。
【００４１】
そこで、空気の屈折率ｎAを１とし、第１の誘電体層２２１の屈折率ｎBを最も一般的なガラスの屈折率に相当する１.５とし、入射角θinが６０度以上の外光３００を全反射させる条件を求めると、以下の式（９）のようになる。
【数９】
2009146615.tif 000011
【００４２】
図３は、第２の誘電体層２２１の屈折率ｎCと、その屈折率ｎCに対応して上記式（９）を満たす誘電体層内界面２２３の傾斜角θMの最小値（以下「最小傾斜角」という）との組み合わせをプロットした図である。すなわち、図３は、屈折率ｎCと、保護層表面２５０で有効な全反射が発生するのに必要な傾斜角θMとの関係を示す図である。
【００４３】
図３に示すように、有効な全反射が発生する傾斜角θMの最小値は、屈折率ｎCが低くなるに従って増加する。実際に可能な範囲のガラスの屈折率ｎCは２.０以下であり、屈折率ｎC＝２.０となる傾斜角θMの最小値は、３３度である。したがって、誘電体層内界面２２３の傾斜角θMを３３度以上とすることで、有効な全反射が起こる構造が実現可能であるということが分かる。
【００４４】
本実施の形態においては、１対の傾斜面のそれぞれの傾斜角を、前面板表面２４０に対して垂直方向にそれぞれ４５度および−４５度だけ傾斜させた角度とする。これにより、前面板表面２４０の法線方向に対して垂直上方に約６０度以上の角度で入射する光を、保護層表面２５０で全反射する角度に屈折させることができる。また、ほぼ水平方向に誘電体層内界面２２３を透過する映像光に影響が及ばないようにすることができる（図７参照）。
【００４５】
ただし、着目する外光の方向によって、誘電体層内界面２２３に設定すべき傾斜面の法線方向や屈折率差は異なる。ここでは、プラズマディスプレイパネル１０の観察者側斜め上方から天井の照明光が入射するものとし、このような斜め上方から入射する外光に着目する。
【００４６】
以下、外光の進路のシミュレーション結果として光線追跡図を示し、誘電体層２２０による屈折効果について説明する。
【００４７】
図４は、入射角８０度の外光についてのシミュレーション結果を示す図である。図４（Ａ）は、誘電体層内界面２２３'を前面板表面２４０に平行な平面とした誘電体層２２０'におけるシミュレーション結果を示し、図４（Ｂ）は、図１の誘電体層２２０におけるシミュレーション結果を示す。
【００４８】
図４において、観察者側の空間（空気）、第１の誘電体層２２１、第２の誘電体層２２２、および放電空間（空気）の、空気に対する相対屈折率は、それぞれ１.０、１.５２、１.７７、１.０である。すなわち、第１の誘電体層２２１の屈折率よりも、０.２５だけ第２の誘電体層２２２の屈折率のほうが高く設定されている。
【００４９】
図４（Ａ）に示すように、誘電体層内界面２２３'が平面の場合、誘電体層２２０'は、屈折率の違う平行平板が重ね合わせられた状態となる。また、観察者側の空間と放電空間は、同一の屈折率となっている。この状態で、前面板表面２４０への入射角θi0が前面板表面２４０の臨界角よりも小さく、外光３００が前面板表面２４０で全反射せずに誘電体層２２０'に入射すると、保護層表面２５０への入射角θiも保護層表面２５０の臨界角よりも小さくなる。したがって、全反射条件は満たされず、外光３００は、必ず保護層表面２５０から射出し、蛍光体層１３０側に到達する。
【００５０】
一方、図４（Ｂ）に示すように、誘電体層内界面２２３が山型形状となっている場合、外光３００に対し、誘電体層内界面２２３で、保護層表面２５０への入射角θiが大きくなる方向に屈折作用が与えられる。これは、第１の誘電体層２２１に進入した外光３００が、前面板表面２４０の傾斜面のうち、第１の誘電体層２２１が上側となる傾斜面（以下「上側傾斜面」という）２２３ｕが、水平方向よりも上方に向いているためである。
【００５１】
ここでは、屈折作用の結果として、外光３００の保護層表面２５０への入射角θiは保護層表面２５０の臨界角よりも大きくなっている。したがって、図４（Ｂ）に示すように、外光３００は、保護層表面２５０で全反射し、蛍光体層１３０側に到達しない。全反射した外光３００は、前面板表面２４０への入射方向の、前面板表面２４０の法線方向２２５に対称となる方向、つまりプラズマディスプレイパネル１０の下斜め方向に出射する。
【００５２】
図５は、入射角７０度の外光についてのシミュレーション結果を示す図であり、図４と対応するものである。入射角以外の基本条件は、図４に示す誘電体層２２０'、２２０と同一である。
【００５３】
図５（Ａ）に示すように、誘電体層内界面２２３'が平面の場合、図４（Ａ）と同様に、外光３００は蛍光体層１３０側に到達する。
【００５４】
一方、図５（Ｂ）に示すように、誘電体層内界面２２３が山型形状となっている場合、外光３００に対し、誘電体層内界面２２３で、保護層表面２５０への入射角θiが大きくなる方向に屈折作用が与えられる。したがって、図４（Ｂ）と同様に、外光３００は蛍光体層１３０側に到達しない。
【００５５】
図６は、入射角６０度の外光についてのシミュレーション結果を示す図であり、図４および図５と対応するものである。入射角以外の基本条件は、図４および図５に示す誘電体層２２０'、２２０と同一である。
【００５６】
図６（Ａ）に示すように、誘電体層内界面２２３'が平面の場合、図４（Ａ）および図５（Ａ）と同様に、外光３００は蛍光体層１３０側に到達する。
【００５７】
一方、図６（Ｂ）に示すように、誘電体層内界面２２３が山型形状となっている場合、外光３００に対し、誘電体層内界面２２３で、保護層表面２５０への入射角θiが大きくなる方向に屈折作用が与えられる。したがって、図４（Ｂ）および図５（Ｂ）と同様に、外光３００は蛍光体層１３０側に到達しない。
【００５８】
このように、誘電体層内界面２２３を山型形状とすることにより、外光３００に対して、保護層表面２５０で全反射する方向に屈折作用を与えることができる。したがって、大きな入射角で入射する外光を、前面板２００と放電セル空間の界面である保護層表面２５０で全反射させることができる。
【００５９】
誘電体層内界面２２３は、映像光に対しても屈折作用を与えるが、観察者側で観察される映像の鮮鋭度にはほとんど影響を及ぼさない。
【００６０】
図７は、図１の誘電体層２２０における映像光の進路のシミュレーション結果を示す光線追跡図であり、図４（Ｂ）、図５（Ｂ）、および図６（Ｂ）に対応するものである。
【００６１】
図７に示すように、蛍光体層１３０からの発光が指向性を持たないことから、蛍光体層１３０から出力される映像光４００は広がりをもって、保護層表面２５０に入射する。また、第１の誘電体層２２１と第２の誘電体層２２２との屈折率差（以下単に「屈折率差」という）はわずかに０.２５であることから、誘電体層内界面２２３が映像光４００の前面板表面２４０への入射角に与える影響も少ない。したがって、ある蛍光体層１３０から出力される映像光４００が、誘電体層内界面を透過する範囲や、誘電体層内界面を透過する際の屈折角は、誘電体層内界面が存在しない場合と山型形状の誘電体層内界面２２３が存在する場合とでほとんど変わらない。すなわち、山型形状の誘電体層内界面２２３を設けることにより、映像の鮮鋭度を低下させることなく、コントラストの向上を図ることができる。
【００６２】
なお、映像光４００の一部は、誘電体層内界面２２３のために誘電体層２２０内部で全反射を繰り返し、前面板２００から観察者側に出ることができなくなるが、その光量はわずかである。
【００６３】
次に、各層の屈折率と、保護層表面２５０で全反射となる外光の入射角との関係について説明する。以下、前面板表面２４０の法線方向に対する、保護層表面２５０で全反射となる外光の到来方向の最小角度を、「最小角」というものとする。
【００６４】
ここで、複数の異なる屈折率差について、保護層表面２５０で全反射となる外光の入射角の最小角を調べた。
【００６５】
図８は、屈折率差が０.２５のときの最小角を示す図であり、具体的には、第１の誘電体層２２１の空気に対する相対屈折率が１.５２、第２の誘電体層２２２の空気に対する相対屈折率が１.７７の場合の最小角である。この場合、外光３００の前面板表面２４０への入射角の全反射となる最小角θは、５５度であった。
【００６６】
図９は、屈折率差が０.３１のときの最小角を示す図であり、具体的には、第１の誘電体層２２１の空気に対する相対屈折率が１.５２、第２の誘電体層２２２の空気に対する相対屈折率が１.８３の場合の最小角である。外光３００の前面板表面２４０への入射角の全反射となる最小角θは、５１度であった。
【００６７】
図１０は、屈折率差が０.３６のときの入射角の最小角を示す図であり、具体的には、第１の誘電体層２２１の空気に対する相対屈折率が１.５２、第２の誘電体層２２２の空気に対する相対屈折率が１.８８の場合の最小角である。この場合、外光３００の前面板表面２４０への入射角の全反射となる最小角θは、４７度であった。
【００６８】
図１１は、屈折率差が０.４０のときの入射角の最小角を示す図であり、具体的には、第１の誘電体層２２１の空気に対する相対屈折率が１.５２、第２の誘電体層２２２の空気に対する相対屈折率が１.９２の場合の最小角である。この場合、外光３００の前面板表面２４０への入射角の全反射となる最小角θは、４５度であった。
【００６９】
図１２は、屈折率差が０.４８のときの入射角の最小角を示す図であり、具体的には、第１の誘電体層２２１の空気に対する相対屈折率が１.５２、第２の誘電体層２２２の空気に対する相対屈折率が２.００の場合の最小角である。この場合、外光３００の前面板表面２４０への入射角の全反射となる最小角θは、４０度であった。
【００７０】
図８〜図１２から明らかなように、屈折率差が大きくなるほど、入射角θの最小角が小さくなり、より広い角度範囲について外光３００が保護層表面２５０における全反射条件を満たす。一方で、屈折率差を増大すると、映像光への影響も強くなる。したがって、蛍光体層１３０への入射を防ぐべき外光の到来方向の範囲について、全反射条件を満たす最小の屈折率差を設定することが望ましい。
【００７１】
以上説明したように、本実施の形態に係るプラズマディスプレイパネル１０によれば、前面板２００は、第１の誘電体層２２１と、第１の誘電体層２２１よりも屈折率が大きい第２の誘電体層２２２との間で形成された、屈折率に差がありかつ前面板表面２４０に対して傾斜した面を含む誘電体層内界面２２３を内部に有する。誘電体層内界面２２３は、前面板表面２４０の法線方向に対して垂直上方に所定の角度以上の角度で入射する光を保護層表面２５０で全反射する方向に屈折させる構成となっている。これにより、前面板２００に入射した光を、保護層表面２５０で全反射する方向に屈折させることが可能となり、蛍光体層１３０に到達する光量を低減することができる。すなわち、外光の影響によるコントラスト低下を低減しつつ映像光の明るさを維持することができ、例えば、明るい場所にプラズマディスプレイパネル１０が設置されても、コントラストの低下の少ない明るい映像を提供することが可能となる。
【００７２】
また、誘電体層内界面２２３は、誘電体層２２０の内部に設けられ、その垂直断面は連続した山型形状となっている。これにより、より簡単な構成で、かつ誘電体層の一部を利用する形で外光に屈折作用を与えることができ、コストの増大や装置の大型化を抑えて、外光の影響によるコントラスト低下を低減することができる。また、誘電体層内界面２２３は発光部である蛍光体層の近くに配置されるので、本来の映像光の鮮鋭度低下を最小限に抑えることができる。
【００７３】
なお、誘電体層内界面２２３の形状は、上記内容に限定されるものではなく、その少なくとも一部が前面板表面２４０に対して傾斜した形状となっていればよい。例えば、窓など水平横方向からの外光によるコントラスト低下を低減する場合には、誘電体層内界面２２３を、水平断面を多数の山型形状とし、垂直断面を直線とすればよい。
【産業上の利用可能性】
【００７４】
本発明に係るプラズマディスプレイパネルは、外光の影響によるコントラスト低下を低減することができるプラズマディスプレイパネルとして有用である。
【図面の簡単な説明】
【００７５】
【図１】本発明の一実施の形態に係るプラズマディスプレイパネルの概略部分断面図
【図２】本実施の形態における誘電体層の各界面における入射角の関係を示す図
【図３】本実施の形態における外光の全反射の条件を満たす第２の誘電体層の屈折率と誘電体層内界面の傾斜角との関係を示す図
【図４】本実施の形態における入射角８０度の外光の光線追跡図
【図５】本実施の形態における入射角７０度の外光の光線追跡図
【図６】本実施の形態における入射角６０度の外光の光線追跡図
【図７】本実施の形態における映像光の光線追跡図
【図８】本実施の形態における屈折率差が０.２５のときの入射角の最小角を示す図
【図９】本実施の形態における屈折率差が０.３１のときの入射角の最小角を示す図
【図１０】本実施の形態における屈折率差が０.３６のときの入射角の最小角を示す図
【図１１】本実施の形態における屈折率差が０.４０のときの入射角の最小角を示す図
【図１２】本実施の形態における屈折率差が０.４８のときの入射角の最小角を示す図
【符号の説明】
【００７６】
１０  プラズマディスプレイパネル
１００  背面板
１１０  隔壁
１２０  放電セル
１３０  蛍光体層
２００  前面板
２１０  透明板
２１５  表示電極
２２０  誘電体層
２２１  第１の誘電体層
２２２  第２の誘電体層
２２３  誘電体層内界面
２３０  保護層
２４０  前面板表面
２５０  保護層表面
【図１】
2009146615.tif 000012
【図２】
2009146615.tif 000013
【図３】
2009146615.tif 000014
【図４】
2009146615.tif 000015
【図５】
2009146615.tif 000016
【図６】
2009146615.tif 000017
【図７】
2009146615.tif 000018
【図８】
2009146615.tif 000019
【図９】
2009146615.tif 000020
【図１０】
2009146615.tif 000021
【図１１】
2009146615.tif 000022
【図１２】
2009146615.tif 000023